(57)【要約】【課題】  前掛け式複式眼鏡アセンブリの提供。【解決手段】  眼鏡及び副眼鏡を具え、眼鏡がブリッジ、二つのレンズ及びつるを具え、副眼鏡がブリッジ及び二つのレンズを具えた前掛け式複式眼鏡アセンブリにおいて、係合部品により眼鏡と副眼鏡が結合され、該係合部品の所定位置に弾性挟持溝が凹設され、該挟持溝に眼鏡のブリッジが挟設され、該係合部品に別に複数の磁性部品が設けられ、該副眼鏡の磁性部品に対応する部分にも該磁性部品と相互に吸引する磁性部品が設けられ、係合部品で任意の眼鏡と副眼鏡が組み合わされ、眼鏡を交換する必要を無くす。【選択図】        図１
0003108514.tif 000002
【実用新案登録請求の範囲】
【請求項１】
ブリッジ、二つのレンズ及びつるを具えた眼鏡と、
ブリッジと二つのレンズを具えた副眼鏡と、
を具えた前掛け式複式眼鏡アセンブリにおいて、
眼鏡と副眼鏡を結合するための少なくとも一つの係合部品が設けられ、該係合部品の所定の位置に弾性挟持溝が凹設されて眼鏡のブリッジを挟設し、該係合部品に別に複数の磁性部品が設けられ、該副眼鏡の該磁性部品に対応する部分にも磁性部品が設けられて相互に吸着し、係合部品により任意の眼鏡に副眼鏡を組合せ可能で、新たに副眼鏡のために眼鏡を購入する必要をなくすことを特徴とする、前掛け式複式眼鏡アセンブリ。
【請求項２】
請求項１記載の前掛け式複式眼鏡アセンブリにおいて、係合部品の背面に挟持溝が設けられ、上面に位置決め溝が設けられ、前面に二つの凹溝が設けられて磁性部品が嵌設され、該磁性部品が該凹溝深くに進入して凹溝前端に空間が保留され、副眼鏡のブリッジに片体が水平に設置され、該片体が係合部品の位置決め溝に嵌設されて副眼鏡の磁性部品が係合部品の凹溝前端に嵌入し、係合部品の磁性部品と相互に吸着し並びに嵌入位置決めされることを特徴とする、前掛け式複式眼鏡アセンブリ。
【請求項３】
請求項１記載の前掛け式複式眼鏡アセンブリにおいて、係合部品が眼鏡両側と副眼鏡の両側に結合され、該係合部品の一面に挟持溝が設けられ、反対面に凹溝が設けられ、該凹溝に磁性部品が嵌設され、該磁性部品が凹溝深くに進入して凹溝前端に空間を保留し、係合部品の挟持溝が眼鏡のつる前端を挟持し、副眼鏡のつる側辺に凸耳が設けられ、凸耳内面に突出する磁性部品が設けられ、副眼鏡の磁性部品が係合部品の凹溝前端に嵌入されて係合部品の磁性部品と相互に吸着し並びに嵌入位置決めされることを特徴とする、前掛け式複式眼鏡アセンブリ。
【請求項４】
請求項１記載の前掛け式複式眼鏡アセンブリにおいて、係合部品が眼鏡両側と副眼鏡の両側と結合され、該係合部品の上下に穿孔が設けられ、眼鏡のつるの前端にこれに対応するネジ孔が設けられ、柱体が該穿孔と該ネジ孔内に位置し、該係合部品の前面に凹溝が設けられ、該凹溝に磁性部品が嵌設されて該磁性部品が該凹溝深くに進入して凹溝前端に空間を保留し、該副眼鏡のつる側辺に凸耳が設けられ、凸耳内面に突出する磁性部品が設けられ、副眼鏡の磁性部品が係合部品の凹溝前端に嵌入されて係合部品の磁性部品と相互に吸着し並びに嵌入位置決めされることを特徴とする、前掛け式複式眼鏡アセンブリ。
【請求項５】
ブリッジ、二つのレンズ及び二つのつるを具えてブリッジより下向きに一対のホルダロッドが延伸されて該ホルダロッドに鼻パッドが接続された眼鏡と、
ブリッジと二つのレンズを具え、ブリッジに少なくとも一つの磁性部品が設けられた副眼鏡と、
を具えた前掛け式複式眼鏡アセンブリにおいて、
眼鏡のブリッジに係合部品が結合され、該係合部品内に少なくとも一つの磁性部品が設けられ、これにより係合部品の磁性部品と副眼鏡の磁性部品が相互に吸着し、副眼鏡の眼鏡への取付が達成され、且つ係合部品の磁性部品の体積が大きく、磁性が強く、副眼鏡の脱落が防止され、並びに全体の美観が保持されたことを特徴とする、前掛け式複式眼鏡アセンブリ。
【考案の詳細な説明】
【技術分野】
【０００１】
本考案は一種の眼鏡に係り、更に詳しくは使用者が自分で副眼鏡を組合せることができる前掛け式複式眼鏡アセンブリに関する。
【背景技術】
【０００２】
周知のとおり、眼鏡は人々に極めて大きな幇助を提供し、人の視力を改善し、強い紫外線を遮断する等の用途を有し、更に人の顔部や輪郭を美化することもできる。しかし眼鏡を着用したことがあれば分かるように、例えば近視用眼鏡を装着して外出時に日射しが強い時にはサングラスに交換しなければならず、それは度数を有するサングラスでなければならず、眼鏡着用者に不便をもたらし、新たに度数を有するサングラスを購入する費用の負担を掛け、外出時の携帯にも非常に不便である。このためサングラスを一般の眼鏡に組み合わせたものが提供されてそのコンパクトで使用に便利なことから消費者に喜ばれている。しかし前掛け式複式の付属フレームと一般の眼鏡は１対１で組み合わされ、すなわち前掛け式複式の付属フレームは単一眼鏡としか組合せることができず、その他の眼鏡には組み合わせることができず、既に眼鏡を有している人が市販されている前掛け式複式付属フレームを選択して組み合わせることができない。このため前掛け式複式付属フレームを欲しいと思う人は、新たに前掛け式複式付属フレームを具えた眼鏡を購入しなければならない。
【０００３】
周知の前掛け式複式付属フレームの眼鏡は、眼鏡のリムと付属フレームのブリッジ両側にそれぞれ長方形の孔が設けられ、磁石が嵌め込まれて吸着し、付属フレームのブリッジが突出状に設計されて、リムと副リムが結合され、磁石面が相互に重なり合い、リムに方形孔が設けられて磁石が嵌め込まれて付属フレームの磁石と相互に吸引する。一般に磁石を嵌め込んでいないリムは付属フレームと組合せることができず、このため新たに眼鏡を購入しなければ適用できない。
【０００４】
別の眼鏡の付属フレームは、眼鏡の両側に第１磁性部品が設けられ、付属フレームの両側に第２磁性部品が設けられて第１磁性部品と相互に吸着し、該付属フレームにフックが設けられて眼鏡のブリッジに係止可能である。このような，眼鏡の付属フレームは眼鏡のリムの両側に磁性部品を設けて付属フレームの磁性部品と相互に吸着させる必要があり、依然として１対１の組合せであり、磁石のない眼鏡に付属フレームを組み合わせることはできない。
【０００５】
且つ上述の製品はいずれも固定式磁石の付属フレームと固定式磁石の眼鏡を組合せており、生産業者に対しては製造コストアップを、消費者に対してはアクセサリ交換不能の問題をもたらす。
【考案の開示】
【考案が解決しようとする課題】
【０００６】
本考案は一種の前掛け式複式眼鏡アセンブリを提供し、その目的は、前掛け式副眼鏡を任意の規格の眼鏡に組み合わせることができ、現在既に眼鏡を着用している人が新たに眼鏡を購入することなく、前掛け式副眼鏡を組み合わせることができるようにすることにある。
【０００７】
本考案は一種の前掛け式複式眼鏡アセンブリを提供し、その次の目的は、眼鏡のブリッジに係合部品を結合させ、並びに係合部品を副眼鏡との磁性吸着に供し、係合部品の体積を大きく設けて内蔵する磁性部品を大きくし、その磁性を強くし、並びに全体の外観を良くすることにある。
【課題を解決するための手段】
【０００８】
請求項１の考案は、ブリッジ、二つのレンズ及びつるを具えた眼鏡と、
ブリッジと二つのレンズを具えた副眼鏡と、
を具えた前掛け式複式眼鏡アセンブリにおいて、
眼鏡と副眼鏡を結合するための少なくとも一つの係合部品が設けられ、該係合部品の所定の位置に弾性挟持溝が凹設されて眼鏡のブリッジを挟設し、該係合部品に別に複数の磁性部品が設けられ、該副眼鏡の該磁性部品に対応する部分にも磁性部品が設けられて相互に吸着し、係合部品により任意の眼鏡に副眼鏡を組合せ可能で、新たに副眼鏡のために眼鏡を購入する必要をなくすことを特徴とする、前掛け式複式眼鏡アセンブリとしている。
請求項２の考案は、請求項１記載の前掛け式複式眼鏡アセンブリにおいて、係合部品の背面に挟持溝が設けられ、上面に位置決め溝が設けられ、前面に二つの凹溝が設けられて磁性部品が嵌設され、該磁性部品が該凹溝深くに進入して凹溝前端に空間が保留され、副眼鏡のブリッジに片体が水平に設置され、該片体が係合部品の位置決め溝に嵌設されて副眼鏡の磁性部品が係合部品の凹溝前端に嵌入し、係合部品の磁性部品と相互に吸着し並びに嵌入位置決めされることを特徴とする、前掛け式複式眼鏡アセンブリとしている。
請求項３の考案は、請求項１記載の前掛け式複式眼鏡アセンブリにおいて、係合部品が眼鏡両側と副眼鏡の両側に結合され、該係合部品の一面に挟持溝が設けられ、反対面に凹溝が設けられ、該凹溝に磁性部品が嵌設され、該磁性部品が凹溝深くに進入して凹溝前端に空間を保留し、係合部品の挟持溝が眼鏡のつる前端を挟持し、副眼鏡のつる側辺に凸耳が設けられ、凸耳内面に突出する磁性部品が設けられ、副眼鏡の磁性部品が係合部品の凹溝前端に嵌入されて係合部品の磁性部品と相互に吸着し並びに嵌入位置決めされることを特徴とする、前掛け式複式眼鏡アセンブリとしている。
請求項４の考案は、請求項１記載の前掛け式複式眼鏡アセンブリにおいて、係合部品が眼鏡両側と副眼鏡の両側と結合され、該係合部品の上下に穿孔が設けられ、眼鏡のつるの前端にこれに対応するネジ孔が設けられ、柱体が該穿孔と該ネジ孔内に位置し、該係合部品の前面に凹溝が設けられ、該凹溝に磁性部品が嵌設されて該磁性部品が該凹溝深くに進入して凹溝前端に空間を保留し、該副眼鏡のつる側辺に凸耳が設けられ、凸耳内面に突出する磁性部品が設けられ、副眼鏡の磁性部品が係合部品の凹溝前端に嵌入されて係合部品の磁性部品と相互に吸着し並びに嵌入位置決めされることを特徴とする、前掛け式複式眼鏡アセンブリとしている。
請求項５の考案は、ブリッジ、二つのレンズ及び二つのつるを具えてブリッジより下向きに一対のホルダロッドが延伸されて該ホルダロッドに鼻パッドが接続された眼鏡と、
ブリッジと二つのレンズを具え、ブリッジに少なくとも一つの磁性部品が設けられた副眼鏡と、
を具えた前掛け式複式眼鏡アセンブリにおいて、
眼鏡のブリッジに係合部品が結合され、該係合部品内に少なくとも一つの磁性部品が設けられ、これにより係合部品の磁性部品と副眼鏡の磁性部品が相互に吸着し、副眼鏡の眼鏡への取付が達成され、且つ係合部品の磁性部品の体積が大きく、磁性が強く、副眼鏡の脱落が防止され、並びに全体の美観が保持されたことを特徴とする、前掛け式複式眼鏡アセンブリとしている。
【考案の効果】
【０００９】
本考案の前掛け式複式眼鏡アセンブリは、前掛け式副眼鏡を任意の規格の眼鏡に組み合わせることができ、現在既に眼鏡を着用している人が新たに眼鏡を購入することなく、前掛け式副眼鏡を組み合わせることができるようにしている。
【００１０】
また、本考案の前掛け式複式眼鏡アセンブリは、眼鏡のブリッジに係合部品を結合させ、並びに係合部品を副眼鏡との磁性吸着に供し、係合部品の体積を大きく設けて内蔵する磁性部品を大きくし、その磁性を強くし、並びに全体の外観を良くしている。
【考案を実施するための最良の形態】
【００１１】
本考案は一種の前掛け式複式眼鏡アセンブリを提供し、それは、
ブリッジ、二つのレンズ及びつるを具えた眼鏡と、
ブリッジと二つのレンズを具えた副眼鏡と、を具え、その特徴は、
眼鏡と副眼鏡を結合するための係合部品が設けられ、該係合部品の所定の位置に弾性挟持溝が凹設されて眼鏡のブリッジを挟設し、該係合部品に別に複数の磁性部品が設けられ、該副眼鏡の該磁性部品に対応する部分にも磁性部品が設けられて相互に吸着し、係合部品により任意の眼鏡に副眼鏡を組合せ可能で、新たに副眼鏡のために眼鏡を購入する必要をなくすことにある。
【実施例１】
【００１２】
本考案の前掛け式複式眼鏡アセンブリは、図１、２、３、４に示されるように、眼鏡１０、係合部品２０及び前掛け式の副眼鏡３０を具えている。該眼鏡１０は二つのレンズ１１、ブリッジ１２、リム１３及びつる１４を具え（リム無し眼鏡の場合はブリッジ１２及びつる１４のみ製作される）、該係合部品２０はプラスチック製品とされ、円弧を具えた長方形体とされ、係合部品２０の背面に挟持溝２１が設けられ、該挟持溝２１は開口が比較的小さく、腹部が比較的大きな半円形溝とされ、挟持溝２１は弾性を具えて眼鏡１０のブリッジ１２を挟持可能で、該係合部品２０の前面に二つの凹溝２２が設けられ、該凹溝２２に磁性部品２３が嵌め込まれ、磁性部品２３が凹溝２２内に挿入され並びに固定され、凹溝２２が磁性部品２３の固定後に尚も空間を保留し、該係合部品２０の上面に位置決め溝２４が設けられ、該副眼鏡３０はサングラスの二つのレンズ３１及びブリッジ３２を具え、該ブリッジ３２の内面に二つの磁性部品３４（図４）が固定され、磁性部品３４が係合部品２０の磁性部品２３と相互に吸引し、該副眼鏡３０のブリッジ３２に水平に後ろ向きに片体３３が延設され、該片体３３が係合部品２０の位置決め溝２４上に置かれ、副眼鏡３０に対する支持が強化されている。
【００１３】
以上の構造の組合せにより、本考案の前掛け式複式眼鏡アセンブリは、スリーパーツ式の組合せとされ、周知のツーパーツ式（眼鏡と副眼鏡）が直接組み合わされているのとは異なる。本考案は任意の眼鏡と副眼鏡を三段式に組み合わせることができ、特定の眼鏡に組み合わせる必要がなく、その組合せ方式は以下のとおりである。
【００１４】
係合部品２０の挟持溝２１に一般の眼鏡１０のブリッジ１２を挟持させ、係合部品２０と眼鏡１０のブリッジ１２を結合させ、更に副眼鏡３０の磁性部品３４を係合部品２０の凹溝２２内に嵌入させ、並びに凹溝２２内の磁性部品２３と相互に吸引させ、且つ片体３３を係合部品２０の位置決め溝２４の上に置き、組立を完成する。係合部品２０の凹溝２２は副眼鏡３０の磁性部品３４を嵌入させ並びに凹溝２２内の磁性部品２３と相互に吸引させる。これにより、副眼鏡３０の上下左右の分力が支持され、また片体３３が位置決め溝２４内に跨設されるため、副眼鏡３０の重力或いは下向きの力が分担され、ゆえにしっかりと副眼鏡３０を固定し眼鏡１０に結合させることができる。
【００１５】
本考案は副眼鏡３０を取り外す時は、係合部品２０を眼鏡１０のブリッジ１２より取り外すか、副眼鏡３０を係合部品２０より取り外せばよい。
【００１６】
本考案は係合部品２０で副眼鏡３０を眼鏡１０に結合させ、これにより係合部品２０と副眼鏡３０を製造すればよく、且つ多種類の眼鏡１０サイズに符合する規格を製作すれば、既に眼鏡を有している人が自分で係合部品２０と副眼鏡３０を購入して既に持っている眼鏡に組み合わせることができ、新たに眼鏡を購入する必要がない。
【００１７】
係合部品２０は眼鏡１０のブリッジ１２の上方、前端を挟持するか、或いは眼鏡１０のブリッジ１２の下方、後端を挟持し、いずれも副眼鏡３０に組合せることができる。
【実施例２】
【００１８】
本考案の第２実施例は、図５、６、７に示されるようであり、それは眼鏡４０を具え、該眼鏡４０は、二つのレンズ４１、二つのつる４２、一対のリム４３及び一つのブリッジ４４を具え、該眼鏡４０は副眼鏡６０に組み合わされ、該副眼鏡６０はサングラスとされ、レンズ６１、リム６３及びブリッジ６２を具え、眼鏡４０のリム４３の両側のつる４２の前端にネジ孔４２１が設けられ、係合部品５０に穿孔５１が設けられ、係合部品５０の前方に磁石５３が固定され、柱体５２（スクリュー）が係合部品５０の穿孔５１及びつる４２のネジ孔４２１に挿入され、副眼鏡６０のリム６３の両側背面に磁石６４１が設けられ、該係合部品５０の磁石５３が副眼鏡６０の磁石６４１と相互に吸引する。
【００１９】
以上の構造の組合せにより、組合せ時には、係合部品５０が眼鏡４０のリム４３の両側のつる４２の前端を挟持し、更に柱体５２（スクリュー）が係合部品５０とつる４２のネジ孔４２１を結合し、磁石５３が副眼鏡６０の磁石６４１と相互に吸引し、こうして副眼鏡６０が組み合わされる。
【００２０】
これにより、該係合部品５０は脱落しにくく、磁石５３が強固に固定さえて脱落せず、磁石５３或いは係合部品５０が酸化した場合は、新しい係合部品５０（磁石５３を含む）に交換でき、眼鏡４０の美観を損なうことがない。
【実施例３】
【００２１】
本考案の第３実施例は、図８、９に示されるようであり、係合部品５０’は、挟持溝５１’、凹溝５２’、及び磁性部品５３’を具え、眼鏡４０はレンズ４１、ブリッジ４４、リム４３及び二つのつる４２を具え、これは前述の実施例と同様である。副眼鏡６０はレンズ６１、ブリッジ６２、リム６３及び両側の凸耳６４を具え、凸耳６４の背面に磁性部品６４１が設けられている。
【００２２】
組合せ時には、係合部品５０’が、挟持溝５１’によりつる４２を挟持し、副眼鏡６０の両側の凸耳６４の磁性部品６４１が係合部品５０’の凹溝５２’内に嵌入し、二つの磁性部品６４１、５３’が相互に吸引し、組合せが完成する。
【００２３】
係合部品５０、５０’は眼鏡４０のつる４２の上方、前端を挟持するか、或いはつる４２の下方、後端を挟持し、いずれも副眼鏡と組合せることができる。
【実施例４】
【００２４】
本考案の第４実施例は図１０、１１、１２、１３、１４に示されるようであり、眼鏡７０と副眼鏡８０を具え、眼鏡７０はブリッジ７１と二つのレンズ７２及び二つのつる７３を具え、眼鏡７０はリム無し眼鏡に属し、ブリッジ７１は下向きに延伸された一対のホルダロッド７４を具えて該ホルダロッド７４に鼻パッド７５が接続され、またホルダロッド７４に係合部品９０が接続され、該係合部品９０の両側に凹溝９１が設けられ、該凹溝９１にホルダロッド７４が圧入嵌着され、係合部品９０がブリッジ７１のホルダロッド７４間に結合されて脱落防止され、該係合部品９０の体積、面積がブリッジ７１より大きく、これにより二つの磁性部品９２を嵌着でき、磁性部品９２の体積を大きくして磁性を強くすることができ、並びに係合部品９０に全体の美観を破壊させない。
【００２５】
該副眼鏡８０は二つのレンズ８２及び一つのブリッジ８１を具え、該ブリッジ８１は螺設方式で二つのレンズ８２の間に固定され、該ブリッジ８１内に二つの磁性部品８３が設けられ、該磁性部品８３の位置と眼鏡７０の係合部品９０の位置は対向する。
【００２６】
上述の構造により、その結合時には、まず未湾曲（ストライプ状）のホルダロッド７４がまず係合部品９０と結合され、ホルダロッド７４が係合部品９０の凹溝９１内に嵌合され位置決めされ、並びに係合部品９０をブリッジ７１底部に圧接させ、更にホルダロッド７４を湾曲させて鼻パッド７５に結合させ、こうして係合部品９０を湾曲したホルダロッド７４に当接させて脱落の可能性を無くし、さらに副眼鏡８０のブリッジ８１を係合部品９０と接触させて係合部品９０の磁性部品９２と副眼鏡８０の磁性部品８３を相互に吸着させ、該副眼鏡８０をしっかりと眼鏡７０に組み合わせる。
【００２７】
係合部品９０の体積、面積は眼鏡７０のブリッジ７１より大きいため、埋め込まれた磁性部品９２もまた大きく、周知のブリッジの磁性部品より大きくされ得て、これにより本考案の磁性部品９２の吸着力は強く、強力な磁力吸着を提供する。
【実施例５】
【００２８】
本考案の第５実施例は図１６に示されるようであり、眼鏡のブリッジ１０１の底部に二つの凸柱１０１１が設けられ、係合部品１１０の上部に対応する二つの位置決め溝１１１が設けられ、凸柱１０１１が位置決め溝１１１内に圧着され、係合部品１１０が眼鏡のブリッジ１０１の下方に結合され、係合部品１１０が二つの磁性部品１１２を具えて副眼鏡の吸着使用に供される。
【実施例６】
【００２９】
本考案の第６実施例は図１７に示されるようであり、眼鏡のブリッジ１２１の下方に二つのネジ孔１２１１が設けられ、係合部品１３０の上部の対応位置に二つの穿孔１３１が設けられ、ネジ１３３が穿孔１３１とネジ孔１２１１内に結合され、係合部品１３０がブリッジ１２１下方に結合され、該係合部品１３０が二つの磁性部品１３２を具えて上述の実施例の副眼鏡の吸着使用に供される。
【００３０】
総合すると、本考案の前掛け式複式眼鏡アセンブリは、新規性、実用性及び産業上の利用価値を有している。
【図面の簡単な説明】
【００３１】
【図１】本考案の立体分解図である。
【図２】本考案の立体組合せ図である。
【図３】本考案の平面組合せ図である。
【図４】本考案の断面図である。
【図５】本考案の第２実施例の立体分解図である。
【図６】本考案の第２実施例の立体組合せ図である。
【図７】本考案の第２実施例の断面図である。
【図８】本考案の第３実施例の立体分解図である。
【図９】本考案の第３実施例の断面図である。
【図１０】本考案の第４実施例の係合部品とブリッジの立体図である。
【図１１】本考案の第４実施例の眼鏡と副眼鏡の立体図である。
【図１２】本考案の第４実施例の眼鏡と副眼鏡の組合せの平面図である。
【図１３】本考案の第４実施例の眼鏡の正面図である。
【図１４】本考案の第４実施例の眼鏡と副眼鏡の断面図である。
【図１５】本考案の第４実施例の眼鏡と副眼鏡の組合せ立体図である。
【図１６】本考案の第５実施例の眼鏡のブリッジと係合部品の組合せ平面図である。
【図１７】本考案の第６実施例の眼鏡のブリッジと係合部品の組合せ平面図である。
【符号の説明】
【００３２】
１０  眼鏡
１１  レンズ
１２  ブリッジ
１３  リム
１４  つる
２０  係合部品
２１  挟持溝
２２  凹溝
２３  磁性部品
２４  位置決め溝
３０  副眼鏡
３１  レンズ
３２  ブリッジ
３４  磁性部品
３３  片体
４０  眼鏡
４１  レンズ
４２  つる
４３  リム
４４  ブリッジ
６０  副眼鏡
６１  レンズ
６２  ブリッジ
６３  リム
６４  凸耳
６４１  磁石
４２１  ネジ孔
５０  係合部品
５１  穿孔
５２  柱体
５３  磁石
５０’  係合部品
５１’  挟持溝
５２’  凹溝
５３’  磁性部品
７０  眼鏡
７１  ブリッジ
７２  レンズ
７３  つる
７４  ホルダロッド
７５  鼻パッド
８０  副眼鏡
８１  ブリッジ
８２  レンズ
８３  磁性部品
９０  係合部品
９１  凹溝
９２  磁性部品
１０１  ブリッジ
１０１１  凸柱
１１０  係合部品
１１１  位置決め溝
１１２  磁性部品
１２１１  ネジ孔
１３０  係合部品
１３１  穿孔
１３２  磁性部品
【図１】
0003108514.tif 000003
【図２】
0003108514.tif 000004
【図３】
0003108514.tif 000005
【図４】
0003108514.tif 000006
【図５】
0003108514.tif 000007
【図６】
0003108514.tif 000008
【図７】
0003108514.tif 000009
【図８】
0003108514.tif 000010
【図９】
0003108514.tif 000011
【図１０】
0003108514.tif 000012
【図１１】
0003108514.tif 000013
【図１２】
0003108514.tif 000014
【図１３】
0003108514.tif 000015
【図１４】
0003108514.tif 000016
【図１５】
0003108514.tif 000017
【図１６】
0003108514.tif 000018
【図１７】
0003108514.tif 000019